(57)【要約】【課題】色識別性と非結露性及び放熱性に優れたビブスを提供する。【解決手段】ビブス１は、撥水布地２の編目３が色識別性と非結露性及び放熱性を満足し得る大きさとして例えば０．５ｍｍ〜５ｍｍの範囲に形成されたことによって、撥水布地２による着用者の汗をビブス１が吸いにくいいという特性に加え、色識別性によりビブス１を見る人がビブス１の色を適切に識別でき、非結露性によりビブス１の内側に汗が溜まることがなく、放熱性により着用者の発汗を低減することができる。これよって、例えば選手交代において、選手が着用していたビブス１を脱いで交代する選手に渡し、交代した選手が上記渡されたビブス１を抵抗なく着用することができる。【選択図】図１
2011026744.tif 000002
【特許請求の範囲】
【請求項１】
撥水布地で構成されたビブスにおいて、撥水布地の編目が色識別性と非結露性及び放熱性を満足し得る大きさに形成されたことを特徴とするビブス。
【請求項２】
色識別性と非結露性及び放熱性を満足し得る大きさの編目として、０．５ｍｍ〜５ｍｍであることを特徴とする請求項１記載のビブス。
【発明の詳細な説明】
【技術分野】
【０００１】
本発明は、色識別性と非結露性及び放熱性に優れたビブスに関する。
【背景技術】
【０００２】
ビブスは、選手又はチームの識別標識を構成するゼッケンとして、運動着の上から着用されるものである。よって、ビブスを撥水布地により構成した場合には、ビブスが着用者の汗を吸いにくい反面、ビブスの内側に汗が溜まって結露を生じるという欠点がある。
【先行技術文献】
【非特許文献】
【０００３】
【非特許文献１】Sportsman.jp  [2009年6月23日検索]、インターネット（ULR:http://sportsman.jp/shop/sports/molten/049/mtd-13/6_1.html）
【発明の概要】
【発明が解決しようとする課題】
【０００４】
発明が解決しようとする課題は、ビブスを撥水布地により構成した場合に、ビブスの内側に汗が溜まって結露を生じやすいという点である。
【課題を解決するための手段】
【０００５】
本発明に係るビブスは、撥水布地で構成されたビブスにおいて、撥水布地の編目が色識別性と非結露性及び放熱性を満足し得る大きさに形成されたことを特徴とする。
【０００６】
上記色識別性と非結露性及び放熱性を満足し得る大きさの編目として、０．５ｍｍ〜５ｍｍであればよい。
【発明の効果】
【０００７】
本発明に係るビブスは、ビブスを構成する撥水布地の編目が色識別性と非結露性及び放熱性を満足し得る大きさに形成されたことにより、撥水布地による着用者の汗をビブスが吸いにくいいという特性に加え、色識別性によりビブスを見る人がビブスの色を適切に識別でき、非結露性によりビブスの内側に汗が溜まることがなく、放熱性により着用者の発汗を低減することができる効果がある。
【０００８】
上記色識別性と非結露性及び放熱性を満足し得る大きさの編目として、０．５ｍｍ〜５ｍｍに形成されれば、色識別性と非結露性及及び放熱性を満足し得る点から最良である。
【図面の簡単な説明】
【０００９】
【図１】Ａ図は実施の形態のビブスを示す斜視図、Ｂ図は編目の大きさを示す平面図。
【図２】吸水テストの測定結果を示す図表。
【図３】触感テストの測定結果を示す図表。
【発明を実施するための形態】
【００１０】
図１を参照し、実施の形態に係るビブス１の構造について説明する。図１のＡ図に示すように、ビブス１は、選手又はチームの識別標識を構成するゼッケンとして、運動着の上から着用されるものであって、撥水布地２で構成され、撥水布地２の編目３が色識別性と非結露性及び放熱性を満足し得る大きさに形成される。
【００１１】
具体的には、ビブス１は、前身頃４と後身頃５とが首ぐり６や袖ぐり７を形成したノースリーブに縫製された形状である。前身頃４及び後身頃５には識別標識としての識別番号８が設けられたが、識別番号８に代えて、識別標識としてのチーム名又は標語が設けられる場合もあり、また、識別番号８やチーム名又は標語などが設けられていない無地のチームカラーだけで識別標識を構成する場合もある。前身頃４の裾部、後身頃５の裾部、首ぐり６、袖ぐり７には、バイアス９ａ；９ｂ；９ｃが設けられる。バイアス９ａ；９ｂ；９ｃにも、撥水布地２に同じ又は類似する撥水布地が使用される。
【００１２】
撥水布地２は、白、赤、緑、青などの有色の織布に撥水剤を染み込ませた形態である。撥水布地２としては、新品でＪＩＳ-Ｌ-１０９２で規定されたスプレー法で２点以上が使用可能であるが、５点のグレードを使用するのが撥水性の点から最良である。
【００１３】
撥水布地２の織布としては、ポリエステル、ナイロン、綿、麻、レーヨン、キュプラ、アセテート、プロミックス、アラミド、ビニロン、ビニリデン、ポリ塩化ビニル、アクリル、ポリプロピレン、ポリウレタンなどの繊維からなる１種類の糸又は混紡糸から構成されが、ポリエステルの１種類の糸から構成されるのが撥水性の点から最良である。
【００１４】
撥水布地２の編目３について、選手に着用されたビブス１を当該選手以外の別の人が見た場合に、ビブス１の色を適切に識別できる色識別性としては、撥水布地２の編目３が０．１ｍｍ〜５ｍｍであればよく、撥水布地２の編目３が５ｍｍよりも大きすぎると、ビブス１の色を適切に識別することが困難である。
【００１５】
撥水布地２の編目３について、ビブス１が選手に着用された場合、結露を生じることのない非結露性と、快適に熱を放出できる放熱性としては、撥水布地２の編目３は０．５ｍｍ〜５ｍｍであればよい。撥水布地２の編目３が０．５ｍｍよりも小さすぎると、汗や熱がビブス１の内側に溜まり、ビブス１を着用した選手の体温調節が困難になり、当該選手の競技での動きが低下する。
【００１６】
よって、撥水布地２の色識別性と非結露性及及び放熱性を満足し得る大きさの編目３としては、０．５ｍｍ〜５ｍｍであれば、最良である。図１のＢ図に示すように、編目３の最大寸法をＨとすると、編目３の大きさ＝Ｈ＝０．５ｍｍ〜５ｍｍである。編目３は、ビブス２を正面から見た場合に図１のＢ図に示すような楕円形状に限定されるものではなく、図示は省略するが、円形状又は角形状であってもよい。
【００１７】
図２を参照し、吸水テストについて説明する。吸水テストに際し、実施の形態に相当する新品の編目３が０．５ｍｍ〜５ｍｍに設定された撥水布地からなるビブス１１；１２を用意し、対比品の新品の撥水処理の施されていないポリエステルの布地からなるビブス１３；１４を用意した。ビブス１３とビブス１４との違いは、ビブス１３が１５０ｇ／ｍ２であるに対し、ビブス１４が１００ｇ／ｍ２というように、目付重量の違いよる保水量の違いという点である。
【００１８】
吸水テストとしては、ビブス１１；１３；１４を６０回ずつ洗濯した後にＴシャツの上に着せ、室温２３℃で、Ｔシャツを濡らした状態で水道水を５０ｃｃずつ５分ごとにＴシャツの首元からＴシャツに滴下して染み込ませて、上記５分ごとに計６０分間におけるビブス１１；１３；１４の重さを測定し、測定結果を図２に記入した。
【００１９】
また、１回も洗濯の行われていないビブス１２をＴシャツの上に着せ、室温２３℃で、Ｔシャツを濡らした状態で水道水を５０ｃｃずつ５分ごとにＴシャツの首元からＴシャツに滴下して染み込ませて、上記５分ごとに計６０分間におけるビブス１２の重さを測定し、測定結果を図２に記入した。
【００２０】
毎回の測定時に２回ほどビブス１１乃至１４を弾いて表面の水を飛ばし、ビブス１１乃至１４をＴシャツに着せたときと毎回の測定後とにおいてビブス１１乃至１４の上からＴシャツに触れるようにビブス１１乃至１４を押さえた。
【００２１】
図２において、縦軸が重さ（ｇ）を示し、横軸が時間（分）を示し、ビブス１１乃至１４の測定結果を折線グラフとして示す。
【００２２】
図２の吸水テストの測定結果について考察すると、実施の形態に相当する６０回の洗濯後のビブス１１が６０分間で６．１ｇであり、実施の形態に相当する洗濯なしのビブス１２が６０分間で０．３ｇの吸水量であり、対比例のビブス１３が６０分間で４９．５ｇであり、対比例のビブス１４が６０分間で５２．５ｇである。
【００２３】
よって、洗濯なしのビブス１２では吸水が殆ど起こらず、６０回の洗濯後のビブス１１でも、ビブス１３；１４に比べて１／５の吸水量である。以上のことから、実施の形態に相当するビブス１１；１２が対比品のビブス１３；１４よりも撥水効果に優れていることが判る。
【００２４】
図３を参照し、触感テストについて説明する。吸水テストの測定時において、人がビブス１１乃至１４に触れた感触を「Ａ乃至Ｅ」の数値で表現した。図３において、Ａが全く濡れていないと感じた場合、Ｂが少し湿っていると感じた場合、Ｃが湿っていると感じた場合、Ｄは濡れていると感じた場合、Ｅは摘むと水滴が滴る場合を表す。
【００２５】
図３の触感テストの測定結果について考察すると、実施の形態に相当するビブス１１；１２では６０分間を通じて人が全く濡れていないと感じる状態であるに対し、対比品のビブス１３；１４では１０分経過後からは摘むと水滴が滴る状態であり、実施の形態に相当するビブス１１；１２が対比品のビブス１３；１４よりも撥水効果に優れていることが判る。
【００２６】
上記吸水テスト及び触感テストは、出願人から依頼を受けた検査機関が行った。吸水テストに関しては、ＪＩＳ−Ｌ−１０９２の規定によるスプレー法が採用され、洗濯に関しては、ＪＩＳ−Ｌ−１０９２  ５．２．（ａ）３の規定による洗濯法が採用された。
【符号の説明】
【００２７】
１はビブス、２は撥水布地、３は編目、４は前身頃、５は後身頃、６は首ぐり、７は袖ぐり、８は識別番号、９ａ乃至９ｃはバイアス、１０は欠番、１１乃至１４はビブス。
【図１】
2011026744.tif 000003
【図２】
2011026744.tif 000004
【図３】
2011026744.tif 000005